(57)【要約】【課題】  イーサネット（登録商標）網経由での電話番号を利用した位置認証機能を実現可能な変換装置を提供する。【解決手段】  変換装置（Ｔ１／イーサー変換装置５）は、既設のイーサーネット（登録商標）（以下、イーサーとする）網へ統合されるＩＳＤＮの電話番号認証システムに用いる。変換装置（Ｔ１／イーサー変換装置５）は、ＩＳＭにてＢｃｈとして２３ｃｈ時分割多重された各ＩＳＤＮ信号をイーサーパケットに変換する変換制御手段（イーサー／ＩＳＤＮ変換制御部５３）と、変換制御手段（イーサー／ＩＳＤＮ変換制御部５３）にて変換されたイーサーパケットをイーサー網経由でＬＮＳへ送り出す手段（イーサーポート５５）とを有し、変換制御手段（イーサー／ＩＳＤＮ変換制御部５３）は、各ＩＳＤＮ信号に対して異なりかつ電話番号毎に任意で決められたＶＬＡＮ−ＩＤを付与する。【選択図】      図１
2012134778.tif 000002
【特許請求の範囲】
【請求項１】
既設のイーサーネット（登録商標）（以下、イーサーとする）網へ統合されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）の電話番号認証システムに用いる変換装置であって、
ＩＳＭ（Ｉ  ｉｎｔｅｒｆａｃｅ  Ｓｕｂｓｃｒｉｂｅｒ  Ｍｏｄｕｌｅ）にてＢｃｈとして２３ｃｈ時分割多重された各ＩＳＤＮ信号をイーサーパケットに変換する変換制御手段と、
前記変換制御手段にて変換されたイーサーパケットをイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す手段とを有し、
前記変換制御手段は、前記各ＩＳＤＮ信号に対して異なりかつ電話番号毎に任意で決められたＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与することを特徴とする変換装置。
【請求項２】
前記変換制御手段は、Ｔ１信号のＤｃｈ信号から各Ｂｃｈの電話番号を取り出すことにより前記ＶＬＡＮ−ＩＤを決定することを特徴とする請求項１記載の変換装置。
【請求項３】
少なくとも前記電話番号毎に任意で決められたＶＬＡＮ−ＩＤをＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）サーバと共有することを特徴とする請求項２記載の変換装置。
【請求項４】
既設のイーサーネット（登録商標）（以下、イーサーとする）網へ統合されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）の電話番号認証システムであって、
ＩＳＭ（Ｉ  ｉｎｔｅｒｆａｃｅ  Ｓｕｂｓｃｒｉｂｅｒ  Ｍｏｄｕｌｅ）にてＢｃｈとして２３ｃｈ時分割多重された各ＩＳＤＮ信号をイーサーパケットに変換する変換制御手段と、前記変換制御手段にて変換されたイーサーパケットをイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す手段とを含む変換装置を有し、
前記変換制御手段は、前記各ＩＳＤＮ信号に対して異なりかつ電話番号毎に任意で決められたＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与することを特徴とする電話番号認証システム。
【請求項５】
前記変換制御手段は、Ｔ１信号のＤｃｈ信号から各Ｂｃｈの電話番号を取り出すことにより前記ＶＬＡＮ−ＩＤを決定することを特徴とする請求項４記載の電話番号認証システム。
【請求項６】
前記変換装置は、少なくとも前記電話番号毎に任意で決められたＶＬＡＮ−ＩＤをＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）サーバと共有することを特徴とする請求項５記載の電話番号認証システム。
【請求項７】
前記ＲＡＤＩＵＳサーバは、複数の変換装置各々のＭＡＣ（Ｍｅｄｉａ  Ａｃｃｅｓｓ  Ｃｏｎｔｒｏｌ）アドレス毎に、少なくとも前記電話番号毎に任意で決められたＶＬＡＮ−ＩＤを格納する認証情報テーブルを含むことを特徴とする請求項６記載の電話番号認証システム。
【請求項８】
既設のイーサーネット（登録商標）（以下、イーサーとする）網へ統合されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）の電話番号認証システムに用いる電話番号認証方法であって、
変換装置が、ＩＳＭ（Ｉ  ｉｎｔｅｒｆａｃｅ  Ｓｕｂｓｃｒｉｂｅｒ  Ｍｏｄｕｌｅ）にてＢｃｈとして２３ｃｈ時分割多重された各ＩＳＤＮ信号をイーサーパケットに変換する変換制御処理と、前記変換制御処理にて変換されたイーサーパケットをイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す処理とを実行し、
前記変換制御処理において、前記各ＩＳＤＮ信号に対して異なりかつ電話番号毎に任意で決められたＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与することを特徴とする電話番号認証方法。
【発明の詳細な説明】
【技術分野】
【０００１】
本発明は変換装置、電話番号認証システム及びそれらに用いる電話番号認証方法に関し、特にＩＳＤＮ（Ｉｎｔｅｇｒａｔｅｄ  Ｓｅｒｖｉｃｅｓ  Ｄｉｇｉｔａｌ  Ｎｅｔｗｏｒｋ）における電話番号認証に関する。
【背景技術】
【０００２】
本発明に関連するＩＳＤＮの電話番号認証システムを図１１を参照して説明する。図１１において、ダイヤルアップルータ２は、ＩＳＰ（Ｉｎｔｅｒｎｅｔ  Ｓｅｒｖｉｃｅ  Ｐｒｏｖｉｄｅｒ）３００−１〜３００−ｎから与えられたユーザ名とパスワードとともに、指定されたＩＳＤＮ用電話番号に対してインタネット接続要求を行う。
【０００３】
ＩＳＭ（Ｉ  ｉｎｔｅｒｆａｃｅ  Ｓｕｂｓｃｒｉｂｅｒ  Ｍｏｄｕｌｅ）４は、ダイヤルアップルータ２からのＩＳＤＮ接続要求に対して、その電話番号を参照し、最大２３ｃｈのＩＳＤＮ信号を２３ｃｈのＢｃｈ（Ｂチャネル：ＩＳＤＮで、音声やデータ、ファクシミリ等の情報をやりとりするためのチャネル）として時分割多重し、Ｔ１インタフェースとしてＬＡＣ［Ｌ２ＴＰ（Ｌａｙｅｒ  Ｔｗｏ  Ｔｕｎｎｅｌｉｎｇ  Ｐｒｏｔｏｃｏｌ）  Ａｃｃｅｓｓ  Ｃｏｎｃｅｎｔｒａｔｏｒ］１０に送信する。
【０００４】
また、ＩＳＭ４は、固定電話３からの通話要求に対して、その電話番号を参照し、固定電話３を電話網１００に接続する。
【０００５】
ＬＡＣ１０は、ＩＳＭ４から受信したＴ１信号から２３ｃｈのＢｃｈを取り出し、ユーザ名を参照することで、そのＰＰＰ（Ｐｏｉｎｔ−ｔｏ−Ｐｏｉｎｔ  Ｐｒｏｔｏｃｏｌ）接続要求がＩＳＰ（＃１〜＃ｎ）３００−１〜３００−ｎのどのＩＳＰへの要求か判定し、Ｌ２ＴＰプロトコルにてカプセル化し、ＬＮＳ（Ｌ２ＴＰ  Ｎｅｔｗｏｒｋ  Ｓｅｒｖｅｒ）（＃１〜＃ｎ）６−１〜６−ｎの何れかに転送する。この時、Ｌ２ＴＰプロトコル上にて電話番号情報も併せて転送可能である。
【０００６】
ＬＡＣ１０からＰＰＰ接続要求を受け取ったＬＳＮ（＃１）６−１は、受信した電話番号情報、ユーザ名及びパスワードをＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）（＃１）サーバ７−１に送信する。
【０００７】
ＲＡＤＩＵＳサーバ（＃１）７−１は、予め設定されているユーザ名、パスワード、電話番号を参照し、該当ユーザ名とパスワードとが決められた電話番号から発信されていることを確認し（電話番号認証）、ＬＮＳ（＃１）６−１へＩＳＰ（＃１）３００−１への接続許可を行う。
【０００８】
ＬＮＳ（＃１）６−１は、該当ＰＰＰ接続に対してＩＳＰ（＃１）３００−１への接続Ｐｏｒｔ（ポート）の解放を行うとともに、ＬＡＣ１０へ認証許可応答パケットを送信する。認証許可応答パケットを受信したＬＡＣ１０は、Ｌ２ＴＰポートを参照し、該当Ｌ２ＴＰポートに対して装置内で設定されたＢｃｈを特定し、該当Ｔ１インタフェース内の該当Ｂｃｈ経由にてダイヤルアップルータ２へ接続許可応答パケットを転送する。
【０００９】
上記のＩＳＤＮを用いて発信者の認証を行う方法としては、着信時にＩＳＤＮ網を介して送られてくる発信者アドレス（電話番号）と発信者サブアドレス（発信者の暗証番号）との組が正しいユーザとそのユーザの暗証番号であることを確認して認証を行う方法（例えば、特許文献１参照）、ＩＳＤＮ網により提供される電話番号通知を利用してインタネットによるサービスの提供のための認証を行う方法（例えば、特許文献２参照）等がある。
【先行技術文献】
【特許文献】
【００１０】
【特許文献１】特開２０００−１３７６８０号公報
【特許文献２】特開２００２−２２９９５１号公報
【発明の概要】
【発明が解決しようとする課題】
【００１１】
上述した本発明に関連する電話番号認証システムでは、図４に示すようなシステムにおけるＬＮＳ６にて直接Ｔ１を終端していたため、Ｄｃｈ（Ｄチャネル：ＩＳＤＮで、発信や着信等を制御する情報を端末と網との間でやりとりするためのチャネル）信号から電話番号を取り出すことが可能である。
【００１２】
しかしながら、ＩＳＤＮの電話番号認証システムを既設のイーサーネット（登録商標）（以下、イーサーとする）網へ統合するために、ＬＮＳ６が直接Ｔ１を終端せず、電話番号が伝達不可能なイーサーＩ／Ｆ（インタフェース）を使用することになるため、新たな電話番号の伝達方法が必要となる。
【００１３】
つまり、本発明に関連するＩＳＤＮの電話番号認証システムでは、ＬＡＣ１０をＴ１終端機能とＬ２ＴＰ終端機能とに機能分割してイーサー網内に設置した場合、イーサープロトコルにて電話番号転送が不可能なため、ユーザ名とパスワードとに加え、電話番号を用いた位置認証ができないという課題がある。
【００１４】
尚、上記の特許文献１，２に記載のＩＳＤＮを用いて発信者の認証を行う方法では、ＩＳＤＮ網により提供される電話番号通知を利用して認証を行っているだけなので、上記の課題を解決することはできない。
【００１５】
そこで、本発明の目的は上記の問題点を解消し、イーサー網経由での電話番号を利用した位置認証機能を実現することができる変換装置、電話番号認証システム及びそれらに用いる電話番号認証方法を提供することにある。
【課題を解決するための手段】
【００１６】
本発明による変換装置は、既設のイーサーネット（登録商標）（以下、イーサーとする）網へ統合されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）の電話番号認証システムに用いる変換装置であって、
ＩＳＭ（Ｉ  ｉｎｔｅｒｆａｃｅ  Ｓｕｂｓｃｒｉｂｅｒ  Ｍｏｄｕｌｅ）にてＢｃｈとして２３ｃｈ時分割多重された各ＩＳＤＮ信号をイーサーパケットに変換する変換制御手段と、
前記変換制御手段にて変換されたイーサーパケットをイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す手段とを備え、
前記変換制御手段は、前記各ＩＳＤＮ信号に対して異なりかつ電話番号毎に任意で決められたＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与している。
【００１７】
本発明による電話番号認証システムは、既設のイーサーネット（登録商標）（以下、イーサーとする）網へ統合されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）の電話番号認証システムであって、
ＩＳＭ（Ｉ  ｉｎｔｅｒｆａｃｅ  Ｓｕｂｓｃｒｉｂｅｒ  Ｍｏｄｕｌｅ）にてＢｃｈとして２３ｃｈ時分割多重された各ＩＳＤＮ信号をイーサーパケットに変換する変換制御手段と、前記変換制御手段にて変換されたイーサーパケットをイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す手段とを含む変換装置を備え、
前記変換制御手段が、前記各ＩＳＤＮ信号に対して異なりかつ電話番号毎に任意で決められたＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与している。
【００１８】
本発明による電話番号認証方法は、既設のイーサーネット（登録商標）（以下、イーサーとする）網へ統合されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）の電話番号認証システムに用いる電話番号認証方法であって、
変換装置が、ＩＳＭ（Ｉ  ｉｎｔｅｒｆａｃｅ  Ｓｕｂｓｃｒｉｂｅｒ  Ｍｏｄｕｌｅ）にてＢｃｈとして２３ｃｈ時分割多重された各ＩＳＤＮ信号をイーサーパケットに変換する変換制御処理と、前記変換制御処理にて変換されたイーサーパケットをイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す処理とを実行し、
前記変換制御処理において、前記各ＩＳＤＮ信号に対して異なりかつ電話番号毎に任意で決められたＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与している。
【発明の効果】
【００１９】
本発明は、上記のような構成及び動作とすることで、イーサーネット（登録商標）網経由での電話番号を利用した位置認証機能を実現することができるという効果が得られる。
【図面の簡単な説明】
【００２０】
【図１】本発明の第１の実施の形態によるＴ１／イーサー変換装置の構成例を示すブロック図である。
【図２】図１に示すＤＢ部の構成例を示す図である。
【図３】本発明の第１の実施の形態によるＴ１／イーサー変換装置の動作例を示す図である。
【図４】本発明の第１の実施の形態によるＩＳＤＮの電話番号認証システムの構成例を示すブロック図である。
【図５】本発明の第１の実施の形態に用いるＩＳＤＮ認証シーケンスを示すシーケンスチャートである。
【図６】本発明の第１の実施の形態においてＩＳＤＮの電話番号認証システムを既設のイーサー網へ接続する場合の認証シーケンスを示すシーケンスチャートである。
【図７】本発明の第２の実施の形態によるＩＳＤＮの電話番号認証システムの構成例を示すブロック図である。
【図８】図７に示すＲＡＤＩＵＳサーバに予め持たせる認証情報テーブルの構成例を示す図である。
【図９】本発明の第３の実施の形態によるＩＳＤＮの電話番号認証システムの構成例を示すブロック図である。
【図１０】本発明の第４の実施の形態によるＩＳＤＮの電話番号認証システムの構成例を示すブロック図である。
【図１１】本発明に関連するＩＳＤＮの電話番号認証システムの構成例を示すブロック図である。
【発明を実施するための形態】
【００２１】
次に、本発明の実施の形態について図面を参照して説明する。まず、本発明によるＩＳＤＮ（Ｉｎｔｅｇｒａｔｅｄ  Ｓｅｒｖｉｃｅｓ  Ｄｉｇｉｔａｌ  Ｎｅｔｗｏｒｋ）電話番号認証方法の概略について説明する。
【００２２】
本発明は、ＩＳＤＮの電話番号認証システムを既設イーサーネット（登録商標）（以下、イーサーとする）網へ統合する場面において、既存のプロトコルを変更することなく、イーサーフレーム毎のエンドユーザ電話番号を特定可能にしたことを特徴としている。
【００２３】
本発明によるＴ１／イーサー変換装置は、ＩＳＭ（Ｉ  ｉｎｔｅｒｆａｃｅ  Ｓｕｂｓｃｒｉｂｅｒ  Ｍｏｄｕｌｅ）にてＢｃｈ（Ｂチャネル：ＩＳＤＮで、音声やデータ、ファクシミリ等の情報をやりとりするためのチャネル）として２３ｃｈ時分割多重された各ＩＳＤＮ信号をイーサーパケットに変換してイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す。
【００２４】
この時、Ｔ１／イーサー変換装置は、各ＩＳＤＮ信号に対して異なるＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与する。このＶＬＡＮ−ＩＤは予めＴ１／イーサー変換装置において、電話番号毎に任意で決められたＶＬＡＮ−ＩＤとし、Ｔ１信号のＤｃｈ（Ｄチャネル：ＩＳＤＮで、発信や着信等を制御する情報を端末と網との間でやりとりするためのチャネル）信号から各Ｂｃｈの電話番号を取り出すことにより決定される。
【００２５】
本発明は、この電話番号毎に任意で決められたＶＬＡＮ−ＩＤをＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）サーバにおいて、Ｔ１／イーサー変換装置と同じ情報（ユーザ名、パスワード、電話番号及びＶＬＡＮ−ＩＤのマッピング情報）を共有することにより、イーサーフレーム毎のエンドユーザ電話番号が特定可能となる。
【００２６】
このように、本発明では、イーサー網上においてＶＬＡＮ−ＩＤを利用することで、エンドユーザ毎のチャネル（ｃｈ）の識別を行い、ＶＬＡＮ−ＩＤの指定を予め登録された電話番号と対応させているので、電話番号の伝達がＶＬＡＮ−ＩＤという形にて実現することができ、イーサー網経由での電話番号を利用した位置認証機能を実現することができる。
【００２７】
図１は本発明の第１の実施の形態によるＴ１／イーサー変換装置の構成例を示すブロック図であり、図２は図１に示すＤＢ（データベース）部の構成例を示す図であり、図３は本発明の第１の実施の形態によるＴ１／イーサー変換装置の動作例を示す図であり、図４は本発明の第１の実施の形態によるＩＳＤＮの電話番号認証システムの構成例を示すブロック図である。
【００２８】
図１において、Ｔ１／イーサー変換装置５は、Ｔ１ポート（＃１〜＃１７８）５１−１〜５１−１７８と、Ｔ１制御部５２−１〜５２−１７８と、イーサー／ＩＳＤＮ変換制御部５３と、ＤＢ部５４と、イーサーポート５５とを備えている。
【００２９】
図２において、ＤＢ部５４は、ＢｃｈとＶＬＡＮとの変換テーブル（ポート番号、電話番号、Ｂｃｈ番号とＶＬＡＮ番号とを変換するためのテーブル、つまり上記のマッピング情報を記憶するテーブル）５４ａを備えている。
【００３０】
図４において、Ｔ１／イーサー変換装置５では、Ｔ１制御部５２−１〜５２−１７８にて、ＩＳＭ（Ｉ  ｉｎｔｅｒｆａｃｅ  Ｓｕｂｓｃｒｉｂｅｒ  Ｍｏｄｕｌｅ）４でＢｃｈ（Ｂチャネル：ＩＳＤＮで、音声やデータ、ファクシミリ等の情報をやりとりするためのチャネル）として２３ｃｈ時分割多重された各ＩＳＤＮ信号を取出し、その各ＩＳＤＮ信号をイーサー／ＩＳＤＮ変換制御部５３にてイーサーパケットに変換する（図３参照）。
【００３１】
この場合、図３に示すように、Ｔ１制御部５２−１〜５２−１７８では、ＩＳＤＮ信号として、「ＤＡＴＡ」、「ＩＰ」、「ＰＰＰ」、「ＩＳＤＮ」からなるユーザ＃１−データ〜ユーザ＃２３−データが取出され、イーサー／ＩＳＤＮ変換制御部５３では、そのユーザ（＃１〜＃２３）−データが、「ＤＡＴＡ」、「ＩＰ」、「ＰＰＰ」、「ＰＰＰｏＥ［ＰＰＰ  ｏｖｅｒ  Ｅｔｈｅｒｎｅｔ（登録商標）］」、「Ｅｔｈｅｒ（ＶＬＡＮタグ付き）」からなるイーサーパケット（ユーザ＃１−データ〜ユーザ＃２３−データ）に変換される。
【００３２】
Ｔ１／イーサー変換装置５では、そのイーサーパケットをイーサーポート５５から、イーサー網２００経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］６へ送り出す。
【００３３】
この時、Ｔ１／イーサー変換装置５は、ＤＢ部５４に記憶された変換テーブル５４ａを用いて、各ＩＳＤＮ信号に対して異なるＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与する。
【００３４】
このＶＬＡＮ−ＩＤは予めＴ１／イーサー変換装置５において、電話番号毎に任意で決められたＶＬＡＮ−ＩＤとし、Ｔ１信号のＤｃｈ（Ｄチャネル：ＩＳＤＮで、発信や着信等を制御する情報を端末と網との間でやりとりするためのチャネル）信号から各Ｂｃｈの電話番号を取り出すことにより決定される。
【００３５】
図４においては、本発明の一実施例としてのＩＳＤＮの電話番号認証システムを既設のイーサー網２００に接続する例を示している。図４において、ダイヤルアップルータ２は、ＩＳＰ（Ｉｎｔｅｒｎｅｔ  Ｓｅｒｖｉｃｅ  Ｐｒｏｖｉｄｅｒ）３００から与えられたユーザ名とパスワードとともに、指定されたＩＳＤＮ用電話番号に対してインタネット接続要求を行う。尚、ダイヤルアップルータ２には、ＬＡＮ（Ｌｏｃａｌ  Ａｒｅａ  Ｎｅｔｗｏｒｋ）を介してＰＣ（パーソナルコンピュータ）１が接続されている。
【００３６】
ＩＳＭ４は、ダイヤルアップルータ２からのＩＳＤＮ接続要求に対してその電話番号を参照し、最大２３ｃｈのＩＳＤＮ信号を２３ｃｈのＢｃｈとしてＴ１インタフェースに時分割多重し、Ｔ１／イーサー変換装置５に送信する。また、ＩＳＭ４は、固定電話３からの通話要求に対して、その電話番号を参照して電話網１００に接続する。
【００３７】
Ｔ１／イーサー変換装置５は、ＩＳＭ４からの受信したＴ１信号から２３ｃｈのＢｃｈを取り出し、それぞれイーサーパケットを作成し、ＬＮＳ６へイーサー網２００経由にて送出する。その際、Ｔ１／イーサー変換装置５は、装置内に予めＢｃｈ毎に設定されたＶＬＡＮ−ＩＤをイーサーパケットに付与する。
【００３８】
ＬＮＳ６は、Ｔ１／イーサー変換装置５から受信したイーサーパケットのＶＬＡＮ−ＩＤ情報及びダイヤルアップルータ２から転送されてきたユーザ名とパスワード情報とを、ＲＡＤＩＵＳサーバ７に送信する。
【００３９】
ＲＡＤＩＵＳサーバ７は、予め設定されているユーザ名、パスワード、電話番号及びＶＬＡＮ−ＩＤのマッピング情報を参照し、該当ユーザ名とパスワードとが決められた電話番号から発信されていることをＶＬＡＮ−ＩＤ情報を参照することで確認し、ＬＮＳ６へＩＳＰ３００への接続許可を行う。
【００４０】
ＬＮＳ６は、該当ＶＬＡＮ−ＩＤに対してＩＳＰ３００への接続ポート（Ｐｏｒｔ）の解放を行うとともに、Ｔ１／イーサー変換装置５へ認証許可応答パケットを送信する。
【００４１】
Ｔ１／イーサー変換装置５は、認証許可応答パケットを受信すると、ＶＬＡＮ−ＩＤを参照し、該当ＶＬＡＮ−ＩＤに対して装置内で設定されたＢｃｈを特定し、該当Ｔ１インタフェース内の該当Ｂｃｈ経由にてダイヤルアップルータ２へ接続許可応答パケットを転送する。
【００４２】
図５は本発明の第１の実施の形態に用いるＩＳＤＮ認証シーケンスを示すシーケンスチャートであり、図６は本発明の第１の実施の形態においてＩＳＤＮの電話番号認証システムを既設のイーサー網２００へ接続する場合の認証シーケンスを示すシーケンスチャートである。これら図１〜図６を参照して本発明の第１の実施の形態によるＩＳＤＮの電話番号認証システムの動作について説明する。
【００４３】
図４において、既存の設備であるダイヤルアップルータ２は、図５に示すように、ＩＳＤＮ接続シーケンス後にＰＰＰ（Ｐｏｉｎｔ−ｔｏ−Ｐｏｉｎｔ  Ｐｒｏｔｏｃｏｌ）接続要求を出す。
【００４４】
ここで、ＩＳＤＮ接続シーケンスにおける回線接続処理で、ダイヤルアップルータ２は、ＬＮＳ６へアクセス番号で呼設定を行う［ＳＥＴＵＰ（ａ１）、ＣＡＬＬ  ＰＲＯＣ（ａ２）、ＣＯＮＮＥＣＴ（ａ３）、ＣＯＮＮＥＣＴ−Ａｃｋ（応答確認）（ａ４）］。
【００４５】
続いて、ＰＰＰが起動されると、ダイヤルアップルータ２は、ＬＮＳ６へＬＣＰ（Ｌｉｎｋ  Ｃｏｎｔｒｏｌ  Ｐｒｏｔｏｃｏｌ）コンフィグレーション・オプションを指定、要求する［Ｃｏｎｆｉｇｕｒｅ−Ｒｅｑｕｅｓｔ（ａ５）］。
【００４６】
ＬＮＳ６は、受け入れたコンフィグレーション・オプションをダイヤルアップルータ２へ返送する［Ｃｏｎｆｉｇｕｒｅ−Ａｃｋ（ａ６）］。この後、ＬＮＳ６は、ダイヤルアップルータ２へＬＣＰコンフィグレーション・オプションを指定、要求する［Ｃｏｎｆｉｇｕｒｅ−Ｒｅｑｕｅｓｔ（ａ７）］。
【００４７】
ダイヤルアップルータ２は、受け入れたコンフィグレーション・オプションをＬＮＳ６へ返送する［Ｃｏｎｆｉｇｕｒｅ−Ａｃｋ（ａ８）］。
【００４８】
続いて、ダイヤルアップルータ２とＬＮＳ６との間では、ＬＮＳ６がＳＥＴＵＰ（ａ１）の際に取得した電話番号情報を用いて、ＰＡＰ（Ｐａｓｓｗｏｒｄ  Ａｕｔｈｅｎｔｉｃａｔｉｏｎ  Ｐｒｏｔｏｃｏｌ）／ＣＨＡＰ（Ｃｈａｌｌｅｎｇｅ  Ｈａｎｄｓｈａｋｅ  Ａｕｔｈｅｎｔｉｃａｔｉｏｎ  Ｐｒｏｔｏｃｏｌ）による認証フェーズ（ａ９）が行われる。
【００４９】
ＰＡＰ／ＣＨＡＰによる認証フェーズで認証成功すると、ＬＮＳ６は、ＩＰＣＰ（Ｉｎｔｅｒｎｅｔ  Ｐｒｏｔｏｃｏｌ  Ｃｏｎｔｒｏｌ  Ｐｒｏｔｏｃｏｌ）パケットにて、ダイヤルアップルータ２へＩＰ（Ｉｎｔｅｒｎｅｔ  Ｐｒｏｔｏｃｏｌ）アドレスを通知する［Ｃｏｎｆｉｇｕｒｅ−Ｒｅｑｕｅｓｔ（ａ１０）、Ｃｏｎｆｉｇｕｒｅ−Ａｃｋ（ａ１１）］。
【００５０】
ダイヤルアップルータ２は、使用するＩＰアドレスをＬＮＳ６へ要求すると［Ｃｏｎｆｉｇｕｒｅ−Ｒｅｑｕｅｓｔ（ａ１２）］、ＬＮＳ６は、ダイヤルアップルータ２に割り当てるＩＰアドレスをダイヤルアップルータ２へ返送する［Ｃｏｎｆｉｇｕｒｅ−Ｎａｋ（ａ１３）］。
【００５１】
ダイヤルアップルータ２は、受信したＩＰアドレスをＬＮＳ６へ通知する［Ｃｏｎｆｉｇｕｒｅ−Ｒｅｑｕｅｓｔ（ａ１４）、Ｃｏｎｆｉｇｕｒｅ−Ａｃｋ（ａ１５）］。この後、ダイヤルアップルータ２とＬＮＳ６との間では、ＩＰ通信開始（ａ１６）となる。
【００５２】
しかしながら、Ｔ１／イーサー変換装置５は、ＰＰＰサーバ接続先を知らないため、ＩＳＤＮ接続シーケンス後にダイヤルアップルータ２から出されたＰＰＰ接続要求を転送することができない。
【００５３】
よって、図６に示すように、Ｔ１／イーサー変換装置５は、Ｃｏｎｆｉｇｕｒｅ−Ｒｅｑｕｅｓｔ（ｂ５−１）を受け取った後に、Ｔ１／イーサー変換装置５自身でＰＰＰｏＥプロトコルに従ってＰＰＰｏＥディスカバリステージを起動し、ＰＡＤＳ（ＰＰＰｏＥ  Ａｃｔｉｖｅ  Ｄｉｓｃｏｖｅｒｙ  Ｓｅｓｓｉｏｎ−ｃｏｎｆｉｒｍａｔｉｏｎ）（ｂ９）信号受信後に、ＬＮＳ６へＣｏｎｆｉｇｕｒｅ−Ｒｅｑｕｅｓｔ（ｂ５−２）を転送することによって、ダイヤルアップルータ２とＬＮＳ６との間のＰＰＰ接続を可能とする。
【００５４】
また、図５においては、ユーザ認証にユーザ名、パスワード及びＳＥＴＵＰ信号から取り出した電話番号情報を使用しているが、図６においては、ユーザ名、パスワード及びＣｏｎｆｉｇｕｒｅ−Ｒｅｑｕｅｓｔパケットから取り出したＶＬＡＮ−ＩＤ（ＶＬＡＮ番号）情報を使用している。
【００５５】
ＰＰＰｏＥディスカバリステージでは、ＰＡＤＩ（ＰＰＰｏＥ  Ａｃｔｉｖｅ  Ｄｉｓｃｏｖｅｒｙ  Ｉｎｉｔｉａｔｉｏｎ）（ｂ６）、ＰＡＤＯ（ＰＰＰｏＥ  Ａｃｔｉｖｅ  Ｄｉｓｃｏｖｅｒｙ  Ｏｆｆｅｒ）（ｂ７）、ＰＡＤＲ（ＰＰＰｏＥ  Ａｃｔｉｖｅ  Ｄｉｓｃｏｖｅｒｙ  Ｒｅｑｕｅｓｔ）（ｂ８）、ＰＡＤＳ（ｂ９）にて、Ｔ１／イーサー変換装置５がＰＰＰサーバ接続先を知ることができる。
【００５６】
尚、図６におけるＩＳＤＮ接続シーケンス（ｂ１〜ｂ４）及びＣｏｎｆｉｇｕｒｅ−Ｒｅｑｕｅｓｔ（ｂ５−２）の転送後のｂ１０〜ｂ２０の処理は、上記の図５に示すａ９〜ａ１６の処理と同様なので、その説明を省略する。
【００５７】
以上、本発明の第１の実施の形態による動作について述べたが、図５に示す回線接続処理の各信号処理はＩＳＤＮ接続シーケンスとして、ＬＣＰパケット／ＩＰＣＰパケットの各信号処理はＰＰＰ接続シーケンスとして、当業者によく知られているため、その詳細な説明は省略する。
【００５８】
また、図６に示すＩＳＤＮ回線接続処理の各信号処理はＩＳＤＮ接続シーケンスとして、ＬＣＰパケット／ＩＰＣＰパケットの各信号処理はＰＰＰ接続シーケンスとして、さらにＰＰＰｏＥディスカバリステージの各信号処理はＰＰＰｏＥ接続シーケンスとして、当業者によく知られているため、その詳細な説明は省略する。
【００５９】
このように、本実施の形態では、ＰＰＰ認証システムを持つ既存のＩＳＤＮシステムに対して、ＰＰＰｏＥを自ら起動する装置（Ｔ１／イーサー変換装置５）を導入することによって、ＰＰＰｏＥ起動が不可能な既存のＩＳＤＮ設備をそのままに、イーサー網２００経由での認証システムを構築することができる。
【００６０】
また、本実施の形態では、ＶＬＡＮ−ＩＤと電話番号とを結びつけることによって、電話番号が送受信できないイーサープロトコル上で電話番号による認証システムを構築することができる。
【００６１】
図７は本発明の第２の実施の形態によるＩＳＤＮの電話番号認証システムの構成例を示すブロック図であり、図８は図７に示すＲＡＤＩＵＳサーバ７に予め持たせる認証情報テーブルの構成例を示す図である。
【００６２】
本発明の第２の実施の形態では、ＶＬＡＮ−ＩＤの取り扱いについてさらに工夫している。図７において、本発明の第２の実施の形態は、図４に示すＰＣ１、ダイヤルアップルータ２、固定電話３、ＩＳＭ４、Ｔ１／イーサー変換装置５、電話網１００をｎ（ｎは２以上の正の整数）台配設した以外は、図４に示す本発明の第１の実施の形態と同様の構成及び動作となっており、同一構成要素には同一符号を付してある。
【００６３】
図４に示す本発明の第１の実施の形態においては、ＶＬＡＮ−ＩＤの制限によって４０９６ユーザまでのユーザ認証登録となるが、本発明の第２の実施の形態では、図７に示す構成を持つことによって、ほぼ無限のユーザを収容可能なシステムとなる。
【００６４】
図８において、ＲＡＤＩＵＳサーバ７に予め持たせる認証情報テーブルには、Ｔ１／イーサー変換装置（＃１〜＃ｎ）５−１〜５−ｎ各々のＭＡＣ（Ｍｅｄｉａ  Ａｃｃｅｓｓ  Ｃｏｎｔｒｏｌ）アドレス毎に、ＶＬＡＮ番号（ＶＬＡＮ−ＩＤ）（１〜４０９５）、ユーザ名、パスワードが格納されている。
【００６５】
図７において、ダイヤルアップルータ（＃１）２−１は、ＩＳＰ３００から与えられたユーザ名とパスワードとともに、指定されたＩＳＤＮ用電話番号に対してインタネット接続要求を行う。
【００６６】
ＩＳＭ（＃１）４−１は、ダイヤルアップルータ（＃１）２−１からのＩＳＤＮ接続要求に対してその電話番号を参照し、最大２３ｃｈのＩＳＤＮ信号を２３ｃｈのＢｃｈとしてＴ１インタフェースに時分割多重し、Ｔ１／イーサー変換装置（＃１）５−１に送信する。また、ＩＳＭ（＃１）４−１は、固定電話（＃１）３−１からの通話要求に対してその電話番号を参照し、電話網（＃１）１００−１に接続する。
【００６７】
Ｔ１／イーサー変換装置（＃１）５−１は、ＩＳＭ（＃１）４−１からの受信したＴ１信号から２３ｃｈのＢｃｈを取り出してそれぞれイーサーパケットを作成し、ＬＮＳ６へイーサー網２００経由にて送出する。その際、Ｔ１／イーサー変換装置（＃１）５−１は、装置内に予めＢｃｈ毎に設定されたＶＬＡＮ−ＩＤをイーサーパケットに付与する。
【００６８】
ＬＮＳ６は、Ｔ１／イーサー変換装置（＃１）５−１から受信したイーサーパケットのＭＡＣアドレス、ＶＬＡＮ−ＩＤ情報及びダイヤルアップルータ（＃１）２−１から転送されてきたユーザ名とパスワード情報とを、ＲＡＤＩＵＳサーバ７に送信する。
【００６９】
ＲＡＤＩＵＳサーバ７は、接続されているＴ１／イーサー変換装置（＃１）５−１に対して、予め設定されているユーザ名、パスワード、電話番号及びＶＬＡＮ−ＩＤのマッピング情報（図８に図示）を参照し、該当ユーザ名とパスワードが決められた電話番号から発信されていることを、Ｔ１／イーサー変換装置（＃１）５−１のＭＡＣアドレス及びＶＬＡＮ−ＩＤ情報を参照することで確認し、ＬＮＳ６へＩＳＰ３００への接続許可を行う。
【００７０】
ＬＮＳ６は、該当接続要求パケットの送信元（ＭＡＣアドレス）からのＶＬＡＮ−ＩＤに対してＩＳＰ３００への接続ポートの解放を行うとともに、Ｔ１／イーサー変換装置（＃１）５−１へ認証許可応答パケットを送信する。
【００７１】
認証許可応答パケットを受信したＴ１／イーサー変換装置（＃１）５−１は、ＶＬＡＮ−ＩＤを参照し、該当ＶＬＡＮ−ＩＤに対して装置内で設定されたＢｃｈを特定し、該当Ｔ１インタフェース内の該当Ｂｃｈ経由にてダイヤルアップルータ（＃１）２−１へ接続許可応答パケットを転送する。Ｔ１／イーサー変換装置（＃ｎ）５−ｎ配下からの接続要求に対しても、上記と同様の動作を行う。
【００７２】
このように、本実施の形態では、ＶＬＡＮ−ＩＤ個数制限に対して、ＶＬＡＮ−ＩＤとＴ１／イーサー変換装置（＃１〜＃ｎ）５−１〜５−ｎのＭＡＣアドレスを電話番号識別に用いることで、システム全体としては収容ユーザ制限なく、イーサー網２００経由の電話番号認証が可能になるという効果が得られる。
【００７３】
つまり、本実施の形態では、Ｔ１／イーサー変換装置（＃１〜＃ｎ）５−１〜５−ｎのＭＡＣアドレスを利用することによって、４０９６というＶＬＡＮ−ＩＤの個数制限に依存することなく、多数のユーザ認証が可能となる。
【００７４】
図９は本発明の第３の実施の形態によるＩＳＤＮの電話番号認証システムの構成例を示すブロック図である。本発明の第３の実施の形態は、図７に示す本発明の第２の実施の形態と構成と同様の構成となっているが、ユーザ管理方法の取り扱いについてさらに工夫している。
【００７５】
図７に示すＴ１／イーサー変換装置（＃１〜＃ｎ）５−１〜５−ｎ及びＲＡＤＩＵＳサーバ７においては、電話番号に対するＴ１／イーサー変換装置（＃１〜＃ｎ）５−１〜５−ｎのＭＡＣアドレスとＶＬＡＮ−ＩＤとの割り当てに関する設定を個別に実施必要がある。
【００７６】
しかしながら、図９に示す本発明の第３の実施の形態では、クライアントＰＣ９経由でユーザ管理サーバ８に、電話番号に対するＴ１／イーサー変換装置（＃１〜＃ｎ）５−１〜５−ｎのＭＡＣアドレスとＶＬＡＮ−ＩＤとの割り当てを設定することで、必要な設定を一括して行うことが可能になる。
【００７７】
図９において、システム管理者は、クライアントＰＣ９経由でユーザ管理サーバ８に対して、Ｔ１／イーサー変換装置（＃１〜＃ｎ）５−１〜５−ｎ配下に接続されている、それぞれのユーザ管理情報である「電話番号」、「該当ユーザが接続されている、Ｔ１／イーサー変換装置（＃１〜＃ｎ）５−１〜５−ｎのうちの何れかのＭＡＣアドレス」、「ＶＬＡＮ−ＩＤ」、「ユーザ名」、「パスワード」を登録する。
【００７８】
ユーザ管理サーバ８は、ＲＡＤＩＵＳサーバ７に対して、各ユーザの「Ｔ１／イーサー変換装置（＃１〜＃ｎ）５−１〜５−ｎの何れかのＭＡＣアドレス」、「ＶＬＡＮ−ＩＤ」、「ユーザ名」、「パスワード」を設定する。また、ユーザ管理サーバ８は、Ｔ１／イーサー変換装置（＃１〜＃ｎ）５−１〜５−ｎに対して、各装置配下に接続されているユーザの「電話番号」、「ＶＬＡＮ−ＩＤ」を設定する。
【００７９】
ダイヤルアップルータ（＃１）２−１は、ＩＳＰ３００から与えられたユーザ名とパスワードとともに、指定されたＩＳＤＮ用電話番号に対してインタネット接続要求を行う。
【００８０】
ＩＳＭ（＃１）４−１は、ダイヤルアップルータ（＃１）２−１からのＩＳＤＮ接続要求に対してその電話番号を参照し、最大２３ｃｈのＩＳＤＮ信号を２３ｃｈのＢｃｈとして時分割多重によりＴ１インタフェースとしてＴ１／イーサー変換装置（＃１）５−１に送信する。また、ＩＳＭ（＃１）４−１は、固定電話（＃１）３−１からの通話要求に対してその電話番号を参照し、電話網（＃１）１００−１に接続する。
【００８１】
Ｔ１／イーサー変換装置（＃１）５−１は、ＩＳＭ（＃１）４−１からのＴ１信号から２３ｃｈのＢｃｈを取り出し、それぞれイーサーパケットを作成し、ＬＮＳ６へイーサー網２００経由にて送出する。その際、Ｔ１／イーサー変換装置（＃１）５−１は、装置内に予めユーザ管理サーバ８から各電話番号毎に設定されたＶＬＡＮ−ＩＤをＤｃｈによりどのＢｃｈがどの電話番号の信号かを判別し、そのＶＬＡＮ−ＩＤをイーサーパケットに付与する。
【００８２】
ＬＮＳ６は、Ｔ１／イーサー変換装置（＃１）５−１から受信したイーサーパケットのＭＡＣアドレス、ＶＬＡＮ−ＩＤ情報及びダイヤルアップルータ（＃１）２−１から転送されてきたユーザ名とパスワード情報とを、ＲＡＤＩＵＳサーバ７に送信する。
【００８３】
ＲＡＤＩＵＳサーバ７は、ユーザ管理サーバ８から予め設定されているユーザ名、パスワード、Ｔ１／イーサー変換装置（＃１〜＃ｎ）５−１〜５−ｎの何れかのＭＡＣアドレス、及びＶＬＡＮ−ＩＤのマッピング情報を参照し、該当ユーザ名とパスワードとが決められた電話番号から発信されていることを、Ｔ１／イーサー変換装置（＃１）５−１のＭＡＣアドレス及びＶＬＡＮ−ＩＤ情報を参照することで確認し、ＬＮＳ６に対してＩＳＰ３００への接続許可を行う。
【００８４】
ＬＮＳ６は、該当接続要求パケットの送信元（ＭＡＣアドレス）からのＶＬＡＮ−ＩＤに対してＩＳＰ３００への接続ポートの解放を行うとともに、Ｔ１／イーサー変換装置（＃１）５−１へ認証許可応答パケットを送信する。
【００８５】
認証許可応答パケットを受信したＴ１／イーサー変換装置（＃１）５−１は、ＶＬＡＮ−ＩＤを参照し、該当ＶＬＡＮ−ＩＤに対して装置内で設定されたＢｃｈを特定し、該当Ｔ１インタフェース内の該当Ｂｃｈ経由にてダイヤルアップルータ（＃１）２−１へ接続許可応答パケットを転送する。
【００８６】
尚、Ｔ１／イーサー変換装置（＃２〜＃ｎ）５−２〜５−ｎ配下からの接続要求に対しても、上記と同様の動作を行う。
【００８７】
このように、本実施の形態では、ユーザ識別情報をクライアントＰＣ９及びユーザ管理サーバ８にて一括管理／設定することで、システム管理が容易になるという効果が得られる。
【００８８】
図１０は本発明の第４の実施の形態によるＩＳＤＮの電話番号認証システムの構成例を示すブロック図である。図１０において、本発明の第４の実施の形態は、図１１にて説明した本発明に関連するＩＳＤＮの電話番号認証システムに対して本発明を適用した一例を示している。
【００８９】
この場合においても、Ｔ１／イーサー変換装置５にて、イーサー網側にてＶＬＡＮ−ＩＤ付きのパケットを送出し、ＲＡＤＩＵＳサーバ（＃１〜＃ｎ）７−１〜７−ｎにてＶＬＡＮ−ＩＤを参照することで電話番号識別を行うことができるという効果が得られる。
【００９０】
上記の実施の形態の一部又は全部は、以下の付記のようにも記載され得るが、以下の記載に限定されない。
【００９１】
［付記１］
既設のイーサーネット（登録商標）（以下、イーサーとする）網へ統合されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）の電話番号認証システムに用いる電話番号認証方法であって、
変換装置が、ＩＳＭ（Ｉ  ｉｎｔｅｒｆａｃｅ  Ｓｕｂｓｃｒｉｂｅｒ  Ｍｏｄｕｌｅ）にてＢｃｈとして２３ｃｈ時分割多重された各ＩＳＤＮ信号をイーサーパケットに変換する変換制御処理と、前記変換制御処理にて変換されたイーサーパケットをイーサー網経由でＬＮＳ［Ｌ２ＴＰ（Ｌａｙｅｒ  Ｔｗｏ  Ｔｕｎｎｅｌｉｎｇ  Ｐｒｏｔｏｃｏｌ）  Ｎｅｔｗｏｒｋ  Ｓｅｒｖｅｒ］へ送り出す処理とを実行し、
前記変換制御処理において、前記各ＩＳＤＮ信号に対して異なりかつ電話番号毎に任意で決められたＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）を付与し、
前記変換制御処理において、Ｔ１信号のＤｃｈ信号から各Ｂｃｈの電話番号を取り出すことにより前記ＶＬＡＮ−ＩＤを決定することを特徴とする電話番号認証方法。
【００９２】
［付記２］
前記変換装置は、少なくとも前記電話番号毎に任意で決められたＶＬＡＮ−ＩＤをＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）サーバと共有することを特徴とする付記１に記載の電話番号認証方法。
【００９３】
［付記３］
前記ＲＡＤＩＵＳサーバに、複数の変換装置各々のＭＡＣ（Ｍｅｄｉａ  Ａｃｃｅｓｓ  Ｃｏｎｔｒｏｌ）アドレス毎に、少なくとも前記電話番号毎に任意で決められたＶＬＡＮ−ＩＤを格納する認証情報テーブルを配設したことを特徴とする付記２に記載の電話番号認証方法。
【符号の説明】
【００９４】
１，１−１〜１−ｎ  ＰＣ
２，２−１〜２−ｎ  ダイヤルアップルータ
３，３−１〜３−ｎ  固定電話
４，４−１〜４−ｎ  ＩＳＭ
５，５−１〜５−ｎ  Ｔ１／イーサー変換装置
６，６−１〜６−ｎ  ＬＮＳ
７，７−１〜７−ｎ  ＲＡＤＩＵＳサーバ
８  ユーザ管理サーバ
９  クライアントＰＣ
５１−１〜５１−１７８  Ｔ１ポート
５２−１〜５２−１７８  Ｔ１制御部
５３  イーサー／ＩＳＤＮ変換制御部
５４  ＤＢ部
５４ａ  変換テーブル
５５  イーサーポート
１００，１００−１〜１００−ｎ  電話網
２００  イーサー網
３００，３００−１〜３００−ｎ  ＩＳＰ
【図１】
2012134778.tif 000003
【図２】
2012134778.tif 000004
【図３】
2012134778.tif 000005
【図４】
2012134778.tif 000006
【図５】
2012134778.tif 000007
【図６】
2012134778.tif 000008
【図７】
2012134778.tif 000009
【図８】
2012134778.tif 000010
【図９】
2012134778.tif 000011
【図１０】
2012134778.tif 000012
【図１１】
2012134778.tif 000013